(57)【要約】【課題】フォルダ内に格納される画像を一括消去する際の操作性を向上できる表示装置の技術を提供する。【解決手段】背面モニタを有する撮像装置(表示装置)の画像再生画面では、メモリカードに作成されている各フォルダを識別する識別名称がタブＴｂに表示される。各タブＴｂはカーソルＣｒで選択が可能となっており、選択されたタブＴｂに対応するフォルダ内の画像Ｆｍは画像表示領域Ｅａで再生される。ここで、撮像装置に設けられた消去ボタンがユーザにより押下される場合には、ダイアログＤｂ２が表示される。そして、ダイアログＤｂ２で「はい」を選択し実行すると、カーソルＣｒで選択されたタブＴｂに対応するメモリカード内のフォルダが削除されるとともに、このフォルダ内に格納される全画像が消去される。これにより、フォルダ内に格納される画像を一括消去する際の操作性を向上できる。【選択図】図４
2007019780.tif 000002
【特許請求の範囲】
【請求項１】
装着される記録媒体から読出された画像を再生する再生画面を有する表示装置であって、
(a)前記再生画面において異なる位置に配置される複数の表示項目から１の表示項目を選択する選択手段と、
(b)前記記録媒体に作成されている各フォルダを識別する識別名称を前記表示項目として表示させる名称表示手段と、
(c)前記選択手段により選択された１の表示項目にて表示される識別名称に対応する１のフォルダを特定し、前記１のフォルダに格納される画像群を前記再生画面で再生する画像再生手段と、
(d)前記１のフォルダ内に格納される全画像を、所定の操作入力に応答して前記記録媒体から消去する第１画像消去手段と、
を備えることを特徴とする表示装置。
【請求項２】
請求項１に記載の表示装置において、
(e)前記複数の表示項目のうち所定の表示項目が前記選択手段により選択される場合には、前記記録媒体に格納される全画像を、特定の操作入力に応答して消去する第２画像消去手段、
をさらに備えることを特徴とする表示装置。
【請求項３】
請求項２に記載の表示装置において、
(f)前記表示装置に設けられる操作部材、
をさらに備え、
前記所定の操作入力および前記特定の操作入力は、前記操作部材に対する操作入力を含むことを特徴とする表示装置。
【請求項４】
請求項１ないし請求項３のいずれかに記載の表示装置において、
前記表示装置は、携帯性を有していることを特徴とする表示装置。
【請求項５】
カーソルキーと操作ボタンとを備え、装着される記録媒体から読出された画像を再生する再生画面を有する表示装置であって、
(a)前記再生画面において異なる位置に配置される複数のタブおよび所定のボタンから、前記カーソルキーの操作に応じて前記再生画面で移動するカーソルにより、１のタブまたは所定のボタンを選択する選択手段と、
(b)前記記録媒体に作成されている各フォルダを識別する識別名称を前記タブに表示させる名称表示手段と、
(c)前記選択手段により前記１のタブが選択される場合には、当該１のタブで表示される識別名称に対応する１のフォルダに格納される画像群を、当該１のタブのページに再生する画像再生手段と、
(d)前記１のフォルダ内に格納される全画像を、前記操作ボタンに対する操作入力に応答して前記記録媒体から消去する第１画像消去手段と、
(e)前記選択手段により前記所定のボタンが選択される場合には、前記記録媒体に格納される全画像を、前記操作ボタンに対する操作入力に応答して消去する第２画像消去手段と、
を備えることを特徴とする表示装置。
【請求項６】
表示装置に内蔵されたコンピュータにおいて実行されることにより、当該表示装置を請求項１ないし請求項５のいずれかに記載の表示装置として機能させることを特徴とするプログラム。
【発明の詳細な説明】
【技術分野】
【０００１】
本発明は、装着される記録媒体から読出された画像を再生する再生画面を有する表示装置の技術に関する。
【背景技術】
【０００２】
一般にモニタを有するデジタルカメラ(表示装置)では、例えばメモリカード等の記録媒体に記録された画像を再生する画像再生画面において指定した１コマの画像を記録媒体から消去することが可能である。
【０００３】
記録媒体内の画像消去に関して操作性を向上させる技術については、例えば特許文献１に開示されている。この技術では、デジタルカメラに配設される削除ボタンの押下により、画像再生画面で選択される画像を削除するモードと、記録媒体に格納される全画像を削除するモードとの切替えが可能となっている。
【０００４】
【特許文献１】特開２００５−１１７５１９号公報
【発明の開示】
【発明が解決しようとする課題】
【０００５】
しかしながら、上記の特許文献１の技術では、記録媒体における１コマの画像消去や全画像の消去が画像再生画面から簡単に行えるものの、画像再生画面から記録媒体の各フォルダに格納される画像の一括消去は行えず、フォルダ毎の画像消去を行いたい場合の操作性が悪い。
【０００６】
本発明は、上記課題に鑑みてなされたものであり、フォルダ内に格納される画像を一括消去する際の操作性を向上できる表示装置の技術を提供することを目的とする。
【課題を解決するための手段】
【０００７】
上記の課題を解決するため、請求項１の発明は、装着される記録媒体から読出された画像を再生する再生画面を有する表示装置であって、(a)前記再生画面において異なる位置に配置される複数の表示項目から１の表示項目を選択する選択手段と、(b)前記記録媒体に作成されている各フォルダを識別する識別名称を前記表示項目として表示させる名称表示手段と、(c)前記選択手段により選択された１の表示項目にて表示される識別名称に対応する１のフォルダを特定し、前記１のフォルダに格納される画像群を前記再生画面で再生する画像再生手段と、(d)前記１のフォルダ内に格納される全画像を、所定の操作入力に応答して前記記録媒体から消去する第１画像消去手段とを備える。
【０００８】
また、請求項２の発明は、請求項１の発明に係る表示装置において、(e)前記複数の表示項目のうち所定の表示項目が前記選択手段により選択される場合には、前記記録媒体に格納される全画像を、特定の操作入力に応答して消去する第２画像消去手段をさらに備える。
【０００９】
また、請求項３の発明は、請求項２の発明に係る表示装置において、(f)前記表示装置に設けられる操作部材、をさらに備え、前記所定の操作入力および前記特定の操作入力は、前記操作部材に対する操作入力を含む。
【００１０】
また、請求項４の発明は、請求項１ないし請求項３のいずれかの発明に係る表示装置において、前記表示装置は、携帯性を有している。
【００１１】
また、請求項５の発明は、カーソルキーと操作ボタンとを備え、装着される記録媒体から読出された画像を再生する再生画面を有する表示装置であって、(a)前記再生画面において異なる位置に配置される複数のタブおよび所定のボタンから、前記カーソルキーの操作に応じて前記再生画面で移動するカーソルにより、１のタブまたは所定のボタンを選択する選択手段と、(b)前記記録媒体に作成されている各フォルダを識別する識別名称を前記タブに表示させる名称表示手段と、(c)前記選択手段により前記１のタブが選択される場合には、当該１のタブで表示される識別名称に対応する１のフォルダに格納される画像群を、当該１のタブのページに再生する画像再生手段と、(d)前記１のフォルダ内に格納される全画像を、前記操作ボタンに対する操作入力に応答して前記記録媒体から消去する第１画像消去手段と、(e)前記選択手段により前記所定のボタンが選択される場合には、前記記録媒体に格納される全画像を、前記操作ボタンに対する操作入力に応答して消去する第２画像消去手段とを備える。
【００１２】
また、請求項６の発明は、表示装置に内蔵されたコンピュータにおいて実行されることにより、当該表示装置を請求項１ないし請求項５のいずれかの発明に係る表示装置として機能させるプログラムである。
【００１３】
＜用語に関する記載＞
請求項１および請求項５における「フォルダ」の概念には、ＭＳ−ＤＯＳでファイル管理に用いられるディレクトリも含まれる。
【発明の効果】
【００１４】
請求項１ないし請求項４および請求項６の発明によれば、再生画面で複数の表示項目から選択された１の表示項目にて表示される識別名称に対応する１のフォルダを特定し、このフォルダ内に格納される全画像を所定の操作入力に応答して記録媒体から消去するため、フォルダ内に格納される画像を一括消去する際の操作性を向上できる。
【００１５】
特に、請求項２の発明においては、再生画面に配置された複数の表示項目のうち所定の表示項目が選択される場合には、記録媒体に格納される全画像を特定の操作入力に応答して消去するため、記憶媒体に格納される全画像を一括消去する際の操作性が向上する。
【００１６】
また、請求項３の発明においては、所定の操作入力および特定の操作入力は、表示装置に設けられる操作部材に対する操作入力を含んでいる。その結果、画像消去に関する操作部材を共通化でき、誤操作の防止や省スペース化を図れる。
【００１７】
また、請求項５および請求項６の発明においては、再生画面に配置された複数のタブからカーソルにより１のタブが選択される場合には、そのタブで表示される識別名称に対応する１のフォルダ内に格納される全画像を操作ボタンに対する操作入力に応答して記録媒体から消去するとともに、再生画面においてカーソルにより所定のボタンが選択される場合には、記録媒体に格納される全画像を操作ボタンに対する操作入力に応答して消去する。その結果、フォルダ内に格納される画像を一括消去する際、および記憶媒体に格納される全画像を一括消去する際の操作性を向上できる。
【発明を実施するための最良の形態】
【００１８】
＜撮像装置の概要＞
図１および図２は、本発明の実施形態に係る撮像装置１００の外観構成を示す図である。ここで、図１は、撮像装置１００の正面外観図であり、図２は、撮像装置１００の背面外観図である。
【００１９】
図１に示すように、撮像装置１００は、カメラ本体１０１と、このカメラ本体１０１の正面略中央に着脱可能に装着される交換レンズ１０２とを備えた一眼レフレックス型デジタルスチールカメラとして構成されており、携帯性および可搬性を有している。
【００２０】
図１において、カメラ本体１０１は、正面略中央に交換レンズ１０２が装着されるマウント部Ｍｔと、マウント部Ｍｔ付近に交換レンズを着脱するための着脱ボタン１４９と、正面左端部にユーザが把持するためのグリップ部１０３と、ＡＦのための補助光を照射するＡＦ補助光発光部１６３とを備えている。
【００２１】
また、カメラ本体１０１は、その正面右上部に制御値を設定するための制御値設定ダイアル１４６と、正面左上部に撮影モードを切り換えるためのモード設定ダイアル１４２と、グリップ部１０３の上面に露光の開始を指示するためのレリーズボタン１４７と、フラッシュ撮影の際に被写体を照射する光を発するフラッシュ１６２とを備えている。
【００２２】
マウント部Ｍｔの近傍には、装着された交換レンズ１０２との電気的接続を行うための電気的接点ＥＣ(図３参照)と機械的接続を行うためのカプラＭＣ(図３参照)とが設けられている。
【００２３】
図１において、グリップ部１０３の内部には電池収納室とカード収納室とが設けられている。電池収納室にはカメラの電源として、例えば、４本の単３形乾電池が収納されており、カード収納室には撮影画像の画像データを記録するためのメモリカード１７６（図３参照）が着脱可能に収納されるようになっている。
【００２４】
モード設定ダイアル１４２は、カメラの各種モード（静止画を撮影する静止画撮影モード、動画を撮影する動画撮影モード、撮影した画像を再生する再生モード、および外部機器との間でデータ交信を行う通信モード等を含む）を設定するためのものである。
【００２５】
レリーズボタン１４７は、途中まで押し込んだ「半押し状態Ｓ１」の操作と、さらに押し込んだ「全押し状態Ｓ２」の操作とが可能に構成された２段階のスイッチとなっている。静止画撮影モードにおいて、レリーズボタン１４７が半押しされると、被写体の静止画を撮影するための準備動作（露出制御値の設定や焦点調節等の準備動作）が実行され、レリーズボタン１４７が全押しされると、撮影動作（後述する撮像素子１１６を露光し、その露光によって得られた画像信号に所定の画像処理を施してメモリカード１７６に記録する一連の動作）が実行される。
【００２６】
図２において、カメラ本体１０１の背面略中央上部には、ファインダ窓１０８が設けられている。ファインダ窓１０８には、交換レンズ１０２からの被写体像が導かれる。ユーザは、ファインダ窓１０８を覗くことによって、被写体を視認することができる。より具体的には、交換レンズ１０２を通過してきた被写体像を、ミラー機構１２６(図３参照)で上方に反射することで、焦点板に被写体像を結像し、ペンタプリズムを通した像を接眼レンズを介して見ることで、被写体像を視認することができる。なお、ファインダ窓１０８内には、シャッター速度や絞り値やその他撮像装置１００の状態を示す各種情報を表示する液晶表示部が内蔵されている。よって、ユーザは、ファインダ窓１０８を覗くことで、撮像装置１００の各種状態を確認することができる。
【００２７】
カメラ本体１０１の背面の略中央には、背面モニタ１０７が設けられている。背面モニタ１０７は、例えばカラー液晶ディスプレイとして構成されており、各種撮影モードにおいて露出制御に関するモード、撮影シーンに関するモードや撮影条件等を設定するためのメニュー画面を表示したり、再生モードにおいてメモリカード(記録媒体)１７６から読出された画像を再生表示したりするものである。
【００２８】
背面モニタ１０７の左上部にはメインスイッチ１４１が設けられている。メインスイッチ１４１は２点スライドスイッチからなり、接点を左方の「ＯＦＦ」位置に設定すると、電源がオフになり、接点の右方の「ＯＮ」位置に設定すると、電源がオンになる。
【００２９】
背面モニタ１０７の右側には、カーソルキーとして働く方向選択キー１４４が設けられている。この方向選択キー１４４は円形の操作ボタンを有し、この操作ボタンにおける上下左右の４方向の押圧操作と、右上、左上、右下及び左下の４方向の押圧操作とが、それぞれ検出されるようになっている。なお、方向選択キー１４４は、上記８方向の押圧操作とは別に、中央部のプッシュボタン(実行ボタン)１４４ａの押圧操作も検出されるようになっている。
【００３０】
背面モニタ１０７の下方位置には、メニュー画面の設定、画像の削除などを行うための複数の操作ボタン(操作部材)からなるボタン群１４３が設けられている。このボタン群１４３においては、右端の操作ボタン１４３ａが後述の消去ボタンとして機能することとなる。
【００３１】
図３は、撮像装置１００の機能構成を示すブロック図である。
【００３２】
撮像装置１００において、制御部１２１は操作部１４０から入力されるユーザからの指示やレンズ位置検出部１２３により検出されるフォーカスレンズ１０３の位置等に基づき、撮像装置１００を統括的に制御するメイン・マイコン(コンピュータ)である。そして、制御部１２１では、メモリカード１７６に格納されるプログラム、例えば後述の画像消去動作を行うプログラム(以下では「画像消去プログラム」ともいう)をインストールして実行することにより、画像再生画面からの画像消去などを適切に行えるようになっている。
【００３３】
操作部１４０には、上記のメインスイッチ１４１やモード設定ダイアル１４２、ボタン群１４３、レリーズボタン１４７等で構成されている。
【００３４】
制御部１２１は、レンズ位置検出部１２３を用い、電気的接点ＥＣを介して交換式レンズ部１０２内のフォーカスレンズ１０３の位置を検出する。そして、制御部１２１は、フォーカス制御部１２４を用いてモータＭ１を制御し、カプラＭＣを介して交換式レンズ部１０２内のフォーカスレンズ１０３を駆動する。ここでは、位相差ＡＦモジュール１１４により求められたデフォーカス量に応じてフォーカスレンズ１０３を移動させることにより、焦点制御を行うことが可能となる。
【００３５】
制御部１２１は、レンズ脱着検出部１２２を用いて交換レンズ１０２がマウント部Ｍｔに装着されたか否かを検出する。この交換レンズ１０２の装着検出では、例えば電気的接点ＥＣを介して交換レンズ１０２内のレンズＲＯＭ内の情報が制御部１２１から読み出せるか否かでレンズ装着の有無が判断される。
【００３６】
制御部１２１は、ミラー制御部１２５を用いてモーターＭ２を制御することにより、ミラー機構１２６内のクイックリターンミラー等を駆動する。
【００３７】
制御部１２１は、シャッター制御部１２７を用いてモータＭ３を制御することにより、シャッター１１５を駆動する。
【００３８】
制御部１２１は、タイミング制御回路１２８を用いて、例えばＣＣＤとして構成される撮像素子１１６、信号処理部１２９、およびＡ／Ｄ変換部１３０を制御する。
【００３９】
撮像素子１１６において撮像された画像は、信号処理部１２９およびＡ／Ｄ変換部１３０において画像データに変換され、画像処理部１５０に入力される。この画像データは、画像処理部１５０において、黒レベル補正回路１５１、ＷＢ補正回路１５２、シェーディング補正回路１５３、エッジ強調回路１５４およびγ補正回路１５５で各画像処理が行われ、画像メモリ１５６に記憶される。
【００４０】
画像処理部１５０において処理された画像データは、ＶＲＡＭ１７１を用いて背面モニタ１０７において表示されたり、カードＩ／Ｆ１７５を用いてメモリカード１７６に記録されたり、ＵＳＢ等で規格化された通信用Ｉ／Ｆ１７７を用いて外部へ送信されたりする。
【００４１】
制御部１２１は、必要に応じて、フラッシュ回路１６１を介してフラッシュ１６２を発光させたり、ＡＦ補助光発光部１６３を発光させたりする。
【００４２】
以上のような構成を有する撮像装置１００では、画像再生画面からメモリカード１７６内の画像消去を行えるが、これについて詳しく説明する。
【００４３】
＜画像再生画面からの画像消去について＞
図４は、画像再生画面からの画像消去を説明するための図である。
【００４４】
背面モニタ１０７を有する撮像装置(表示装置)１００においては、モード設定ダイアル１４２によって再生モードに設定されると、例えば図４(ａ)に示す画像再生画面が背面モニタ１０７に表示される。
【００４５】
画像再生画面では、メモリカード１７６に作成されている各フォルダを識別する識別名称がタブＴｂ(Ｔｂ１、Ｔｂ２、Ｔｂ３)に表示される。ここでは、例えばカメラで自動作成するフォルダ名の文字数が日付情報等を含んで多くなる場合には、必要な情報を抽出した略称が各タブＴｂに表示されることとなる。
【００４６】
各タブＴｂに表示されるフォルダについては、方向選択キー１４４の操作で移動するカーソルＣｒ(図４(ｃ))によって選択(切替え)が可能となっている。なお、図４(ａ)等に示す画像再生画面では３つのフォルダの識別名称が表示されているが、右端のタブＴｂ３を選択した状態で方向選択キー１４４による右方向の操作を行うことで、他のフォルダの識別名称がタブＴｂに表示されることとなり、そのフォルダの選択も可能となる。
【００４７】
そして、カーソルＣｒで選択されてアクティブとなったタブＴｂでは、そのタブＴｂに対応するフォルダに格納される画像群が画像表示領域Ｅａに表示される。例えば図４(ｃ)に示す画像再生画面のようにタブＴｂ２が選択される場合には、タブＴｂ２に表示される識別名称で識別されるフォルダ内の各画像Ｆｍが画像表示領域Ｅａに表示されることとなる。
【００４８】
また、画像再生画面では、撮像装置１００に装着されるメモリカード１７６に記録されている全コマ(全画像)を選択するためのボタンＢｎが設けられている。このボタンＢｎをカーソルＣｒで選択することにより、フォルダの区別なくメモリカード１７６内の全画像を画像表示領域Ｅａに表示できる(図４(ｅ))。
【００４９】
また、画像再生画面では、方向選択キー１４４の操作により図４(ａ)に示すカーソルＣｓを移動させることで、画像表示領域Ｅａに表示される各画像Ｆｍの選択が可能となっている。すなわち、フォルダが選択されフォルダ内の画像が表示される図４(ｃ)の画像表示領域Ｅａや、ボタンＢｎが選択されメモリカード１７６内の画像が表示される図４(ｅ)の画像表示領域Ｅａにおいて所望の画像Ｆｍを指定できる。
【００５０】
以上説明した画像再生画面から画像消去を行うための操作手順を以下で説明する。
【００５１】
(１)１コマの画像の消去
図４(ａ)に示すように画像表示領域Ｅａ内の画像Ｆｍ１がカーソルＣｓで選択される状態において消去ボタン１４３ａをユーザが押下する場合には、図４(ｂ)に示すダイアログ・ボックス（以下では「ダイアログ」と略称する)Ｄｂ１が表示される。そして、ダイアログＤｂ１において「はい」を方向選択キー１４４により選択し実行ボタン１４４ａを押下すると、カーソルＣｓで選択された１コマの画像Ｆｍ１がメモリカード１７６から削除される。
【００５２】
(２)フォルダ内の全画像の消去
図４(ｃ)に示すようにタブＴｂがカーソルＣｒで選択される状態において消去ボタン１４３ａをユーザが押下する場合には、図４(ｄ)に示すダイアログＤｂ２が表示される。そして、ダイアログＤｂ２において「はい」を方向選択キー１４４により選択し実行ボタン１４４ａを押下すると、カーソルＣｒで選択されたタブＴｂに対応するメモリカード１７６内のフォルダが削除されるとともに、このフォルダ内に格納される全画像が消去される。
【００５３】
(３)メモリカード内の全画像の消去
図４(ｅ)に示すようにボタンＢｎがカーソルＣｒで選択される状態において消去ボタン１４３ａをユーザが押下する場合には、図４(ｆ)に示すダイアログＤｂ３が表示される。そして、ダイアログＤｂ３において「はい」を方向選択キー１４４により選択し実行ボタン１４４ａを押下すると、メモリカード１７６内に記録されている全画像が消去される。
【００５４】
以上のように撮像装置１００では、画像再生画面において異なる位置に配置される３つのタブ(表示項目)Ｔｂ１〜３およびボタン(表示項目)Ｂｎから、方向選択キー１４４の操作に応じて再生画面上で移動するカーソルＣｒにより１つのタブＴｂまたはボタンＢｎの選択が可能となっている。そして、１つのタブＴｂが選択される場合には、このタブＴｂで表示される識別名称に対応する１つのフォルダを特定し、そのフォルダに格納される画像群をタブＴｂのページに再生するとともに、そのフォルダ内に格納される全画像を消去ボタン１４３ａに対する操作入力に応答してメモリカード１７６から消去する。一方、ボタンＢｎが選択される場合には、消去ボタン１４３ａに対する操作入力に応答してメモリカード１７６に格納される全画像を消去する。その結果、撮像装置１００では、フォルダ内に格納される画像を一括消去する際、およびメモリカード１７６に格納される全画像を一括消去する際の操作性を向上できることとなる。
【００５５】
以上の画像消去に関する撮像装置１００の動作について具体的に説明する。
【００５６】
＜撮像装置１００の動作＞
図５は、撮像装置１００の基本的な動作、特に画像再生画面での画像消去に関する動作を示すフローチャートである。本動作は、制御部１２１内にインストールされた画像消去プログラムを実行することで実施される。
【００５７】
モード設定ダイアル１４２で再生モードが設定されることにより再生表示画面が背面モニタ１０７に表示される状態において、消去ボタン１４３ａがユーザにより押下されたかを判定する(ステップＳＴ１)。ここで、消去ボタン１４３ａが押下された場合には、ステップＳＴ２に進み、押下されていない場合には、本フローを抜ける。
【００５８】
ステップＳＴ２では、図４(ｃ)のようにメモリカード１７６内のフォルダがカーソルＣｒで選択されているかを判定する。ここで、フォルダが選択されている場合には、ステップＳＴ８に進み、選択されていない場合には、ステップＳＴ３に進む。
【００５９】
ステップＳＴ３では、図４(ｅ)のようにメモリカード１７６内の全画像がカーソルＣｒで選択されているかを判定する。ここで、全画像が選択されている場合には、ステップＳＴ６に進み、選択されていない場合には、ステップＳＴ４に進む。
【００６０】
ステップＳＴ４では、図４(ｂ)のように画像再生画面に表示されたダイアログＤｂ１において画像消去を実行するかを判定する。具体的には、ダイアログＤＢ１で「はい」が選択され実行ボタン１４４ａが押下されたか否かを判断する。ここで、画像消去を実行する場合には、ステップＳＴ５に進み、実行しない場合には、本フローを抜ける。
【００６１】
ステップＳＴ５では、カーソルＣｓ(図４(ａ))で指定された画像をメモリカード１７６から消去する。
【００６２】
ステップＳＴ６では、上記のステップＳＴ４と同様に、図４(ｆ)のように画像再生画面に表示されたダイアログＤｂ３において画像消去を実行するかを判定する。ここで、画像消去を実行する場合には、ステップＳＴ７に進み、実行しない場合には、本フローを抜ける。
【００６３】
ステップＳＴ７では、メモリカード１７６内の全画像を消去する。この際には、メモリカード１７６に作成された全てのフォルダも消去される。
【００６４】
ステップＳＴ８では、上記のステップＳＴ４と同様に、図４(ｄ)のように画像再生画面に表示されたダイアログＤｂ２において画像消去を実行するかを判定する。ここで、画像消去を実行する場合には、ステップＳＴ９に進み、実行しない場合には、本フローを抜ける。
【００６５】
ステップＳＴ９では、カーソルＣｒ(図４(ｃ))で指定されたメモリカード１７６内のフォルダと、そのフォルダ内の全画像を消去する。
【００６６】
以上の撮像装置１００の動作により、カーソルＣｒにより選択されたタブＴｂに対応するフォルダに格納される全画像を、簡易な操作入力に応答してメモリカード１７６から消去するため、フォルダ内に格納される画像を一括消去する際の操作性を向上できる。また、カーソルＣｒによりボタンＢｎが選択される場合には、メモリカード１７６に格納される全画像を簡易な操作入力に応答して消去するため、記憶媒体に格納される全画像を一括消去する際の操作性が向上する。さらに、フォルダ毎に画像を消去する際、およびメモリカード１７６内の全画像を消去する際には同じ消去ボタン１４３ａに対する操作入力を行うため、画像消去に関する操作部材を共通化して、誤操作の防止や省スペース化を図れることとなる。
【００６７】
＜変形例＞
◎上記の実施形態における画像再生画面からの画像消去については、撮像機能を持たない携帯型の画像再生装置などに適用しても良い。
【図面の簡単な説明】
【００６８】
【図１】本発明の実施形態に係る撮像装置１００の外観構成を示す図である。
【図２】撮像装置１００の外観構成を示す図である。
【図３】撮像装置１００の機能構成を示すブロック図である。
【図４】画像再生画面からの画像消去を説明するための図である。
【図５】撮像装置１００の基本的な動作を示すフローチャートである。
【符号の説明】
【００６９】
１００  撮像装置
１０１  カメラ本体
１０２  交換レンズ
１０７  背面モニタ
１２１  制御部
１４３ａ  消去ボタン
１４４  方向選択キー
１４４ａ  実行ボタン
１７６  メモリカード
Ｂｎ  ボタン
Ｃｒ、Ｃｓ  カーソル
Ｄｂ１〜３  ダイアログ・ボックス
Ｔｂ、Ｔｂ１〜３  タブ
【図１】
2007019780.tif 000003
【図２】
2007019780.tif 000004
【図３】
2007019780.tif 000005
【図４】
2007019780.tif 000006
【図５】
2007019780.tif 000007